(57)【特許請求の範囲】
【請求項１】
シェーバのためのハンドル（１）であって、
−取外し可能な髭剃カートリッジ（２）を受けるように構成された前側部分（６Ａ、８Ａ）と、
−上側部品（６）及び下側部品（８）であって、当該上側部品（６）及び下側部品（８）が、互いに組み立てられている、上側部品及び下側部品と、
−当該ハンドル（１）の前記前側部分（６Ａ、８Ａ）を位置付けるボタン（３）であって、当該ボタン（３）が、第１方向で移動可能であり、前記髭剃カートリッジ（２）の取外しを容易にするように構成されている、ボタンと、
を備え、
当該ハンドル（１）の前記上側部品（６）が、前記第１方向で長手方向に延在するスロット（６０９）を備え、前記スロット（６０９）が、一対の対向する軌道を形成する２つの長手方向縁部を有し、
前記ボタン（３）が、少なくとも一対の対向する可撓性フック（３０７）を備え、前記可撓性フックが、前記スロット（６０９）の長手方向の前記軌道とスナップ嵌合され、当該ハンドル（１）の前記ボタン（３）を保持し、前記可撓性フック（３０７）が、前記軌道上でスライド可能であり、
当該ハンドル（１）の前記下側部品（８）が、当接部材（８０４）を備え、前記当接部材が、前記可撓性フック（３０７）と係合され、前記第１方向で細長くされており、前記当接部材（８０４）が、前記可撓性フック（３０７）が前記スロット（６０９）の前記軌道と係合解除することを防止するように構成されていることを特徴とする、ハンドル。
【請求項２】
当該ハンドル（１）の前記上側部品（６）及び当該ハンドル（１）の前記下側部品（８）が、共にスナップ嵌合によって組み立てられていることを特徴とする請求項１に記載のハンドル。
【請求項３】
前記ボタンが、スライド可能であることを特徴とする請求項１または２に記載のハンドル。
【請求項４】
前記ボタン（３）が、前記髭剃カートリッジ（２）に隣接する前側部分と、後側部分と、を備え、
前記ボタン（３）が、当該ボタン（３）を移動させると前記髭剃カートリッジ（２）を取り外すように構成されていることを特徴とする請求項１から３のいずれか１項に記載のハンドル。
【請求項５】
前記可撓性フック（３０７）が、外側を向くフックの形態で設けられており、
前記当接部材（８０４）が、前記可撓性フック（３０７）間に位置付けられ、前記可撓性フックを共に接近移動させることを防止することを特徴とする請求項１から４のいずれか１項に記載のハンドル。
【請求項６】
前記スロット（６０９）が、当該スロット（６０９）の内側に突出する停止突起（６０８）を備え、
前記停止突起が、前記可撓性フック（３０７）を共に接近移動させることを防止するように構成されていることを特徴とする請求項１から５のいずれか１項に記載のハンドル。
【請求項７】
前記ボタン（３）が、前記髭剃カートリッジ（２）に隣接する前側部分と、後側部分と、を備え、
前記ボタンが、スライド可能であり、当該ボタン（３）を前方にスライドさせると前記髭剃カートリッジ（２）を取り外すように構成されており、
前記可撓性フック（３０７）が、前記ボタン（３）の前記後側部分に位置付けられており、
前記当接部材が、前記ボタン（３）を前方にスライドさせると前記可撓性フック（３０７）に係合する一方、前記停止突起（６０８）が、前記ボタン（３）を前方にスライドさせないときに前記可撓性フック（３０７）に係合することを特徴とする請求項６に記載のハンドル。
【請求項８】
前記上側及び下側部品（６、８）の後側部分（６Ｂ、８Ｂ）をさらに備え、
当該ハンドル（１）の前記上側部品（６）の前記前側部分（６Ａ）が、受口（６０７）を備え、
当該ハンドル（１）の前記下側部品（８）の前記前側部分（８Ａ）が、前記受口（６０７）に係合するように構成されたフック（８０２）で終端し、
当該ハンドル（１）の前記上側及び下側部品（６、８）の前記後側部分（６Ｂ、８Ｂ）には、圧入手段が設けられていることを特徴とする請求項１から７のいずれか１項に記載のハンドル。
【請求項９】
前記当接部材（８０４）が、前記フック（８０２）に隣接して位置付けられていることを特徴とする請求項８に記載のハンドル。
【請求項１０】
当該ハンドル（１）が、回動するカートリッジ（２）を収容するように構成されており、
当該ハンドル（１）が、回動させると前記カートリッジ（２）を待機位置へ復帰させるように構成されたプランジャ（４）をさらに備えることを特徴とする請求項１から９のいずれか１項に記載のハンドル。
【請求項１１】
各対の保持部材（３０５、３０７）が、前記プランジャ（４）を収容するために前記保持部材（３０５、３０７）間に空間を形成することを特徴とする請求項１０に記載のハンドル。
【請求項１２】
前記ボタン（３）には、バネ（５）が設けられており、
前記バネ（５）が、前記ボタン（３）を移動させると前記ボタン（３）のために復帰力を提供するように構成されていることを特徴とする請求項１から１１のいずれか１項に記載のハンドル。
【請求項１３】
前記プランジャには、バネ（５）が設けられており、
前記バネ（５）が、前記ボタン（３）及び前記プランジャ（４）双方のための復帰力を提供することを特徴とする請求項１０または１１に記載のハンドル。
【請求項１４】
請求項１から１３のいずれか１項に記載のハンドルを備えることを特徴とするシェーバ。
【請求項１５】
シェーバのためのハンドルを製造する方法であって、
−ボタン（３）を設けるステップであって、前記ボタン（３）が、少なくとも一対の対向する可撓性フックを備える、ステップと、
−ハンドル上側部品（６）を設けるステップであって、前記ハンドル上側部品（６）が、スライド方向で長手方向に延在するスロット（６０９）を備え、前記スロット（６０９）が、一対の対向する軌道を形成する２つの長手方向縁部を有する、ステップと、
−ハンドル下側部品（８）を設けるステップであって、前記ハンドル下側部品（８）が、当接部材（８０４）を備える、ステップと、
−前記ボタン（３）に設けられた前記可撓性フック（３０７）を前記ハンドル上側部品（６）にある前記スロット（６０９）の前記軌道に各別にスナップ嵌合させ、それにより、前記ボタン（３）が前記スライド方向でスライド可能である、ステップと、
−前記ハンドル下側部品（８）を前記ハンドル上側部品（６）に嵌め、前記ハンドル（１）を形成し、同時に、前記可撓性フック（３０７）を前記ハンドル下側部品（８）の前記当接部材に係合させ、それにより、前記当接部材が、前記可撓性フックが前記スロット（６０９）の前記軌道から係合解除されることを禁止するステップと、
を備えることを特徴とする方法。
【請求項１６】
前記ハンドル上側部品（６）が、前記スロット（６０９）の内側に突出する停止突起（６０８）をさらに備え、
−バネ（５）を設けるステップと、
−前記ボタン（３）と前記バネ（５）とを組み立てるステップであって、前記スナップ嵌合させるステップ中に、前記可撓性フック（３０７）を前記停止突起（６０８）からずらした位置でスナップ嵌合させる、ステップと、
をさらに備え、
前記可撓性フック（３０７）をスナップ嵌合させるステップと前記ハンドル下側部品（８）を前記ハンドル上側部品（６）に嵌めるステップとの間に、前記可撓性フック（３０７）を前記停止突起（６０８）に係合させるステップをさらに備え、
前記バネ（５）が、前記停止突起が前記可撓性フック間にある待機位置へ前記ボタン（３）を付勢し、前記可撓性フックが前記スロット（６０９）の前記軌道から係合解除されることを禁止し、
前記ハンドル下側部品（８）をスナップ嵌合させるステップにおいて、前記ハンドル下側部品の前記当接部材（８０４）が、前記スライド方向で前記停止突起と位置合わせした状態で位置付けられていることを特徴とする請求項１５に記載の方法。
【請求項１７】
前記ハンドル下側部品（８）を前記ハンドル上側部品（６）に嵌めるステップにおいて、前記ハンドルの前記ハンドル上側部品（６）及び前記ハンドルの前記ハンドル下側部品（８）をスナップ嵌合させることを特徴とする請求項１５または１６に記載の方法。
【発明の詳細な説明】
【技術分野】
【０００１】
本発明は、髭剃カートリッジに解放可能に接続されるシェーバハンドル、及び、このようなハンドルを有するシェーバに関する。
【０００２】
より詳しくは、本発明は、シェーバハンドルであって、
−髭剃カートリッジを受けて解放可能に保持するための可撓性ヨークで終端する細長いハンドル本体と、
−上記ヨークと協働し、ハンドル本体に接続されるスライド素子であって、ヨークがヨークに受けられた髭剃カートリッジを解放可能に保持できる待機位置と、ヨークが曲げられて髭剃カートリッジを受けられるまたはヨークに受けられた髭剃カートリッジを解放できる開放位置と、の間でハンドル本体に対して移動可能な、スライド素子と、
−上記スライド素子を解放位置から待機位置まで復帰させる弾性素子と、
を備える、シェーバハンドルに関する。
【背景技術】
【０００３】
このようなシェーバハンドルは、シェーバハンドルに接続される髭剃カートリッジを使用時に保持して使用後に解放することを可能とする。１回または複数回使用した後に、ユーザは、髭剃カートリッジを交換できる一方、再利用のためにシェーバハンドルを取って置く。
【０００４】
例えば特許文献１に記載されたシェーバは、可撓性ヨークを有するハンドルを備える。ハンドルには、ボタンが設けられており、このボタンは、ヨークの腕体を同時に接近させるように構成されている。カートリッジは、通常、腕体の端部に設けられた外殻支持体によって保持されている。カートリッジを取り外す場合には、ボタンをカートリッジに向かう方向で前方に移動させる。ヨークの腕体をボタンの作用によって共に接近移動させる。その結果、カートリッジを取り外して交換できる。
【先行技術文献】
【特許文献】
【０００５】
【特許文献１】国際公開第２０１０／０３７４１８号
【発明の概要】
【発明が解決しようとする課題】
【０００６】
特許文献１に記載されたようなハンドルは、ボタンが設けられた一体型プラスチックハンドルである。しかしながら、いくつかの理由により、複数片でハンドルを製造することが望ましいことがある。そして、このような複数片は、力をハンドルに掛けたときに、例えばシェーバを落下させるまたは衝撃を受けるときなどに、分解されることを防止されなければならず、同時に、全ての片を共に容易に組み立てることを可能としなければならない。
【課題を解決するための手段】
【０００７】
この目的のために、本発明によれば、シェーバのためのハンドルが提供され、このハンドルは、
−取外し可能な髭剃カートリッジを受けるように構成された前側部分と、
−上側部品及び下側部品であって、上側部品及び下側部品が、共に組み立てられている、上側部品及び下側部品と、
−ハンドルの前側部分を位置付けるボタンであって、ボタンが、第１方向で移動可能であり、髭剃カートリッジの取外しを容易にするように構成されている、ボタンと、
を備え、
ハンドルの上側部品が、上記第１方向で長手方向に延在するスロットを備え、上記スロットが、一対の対向する軌道を形成する２つの長手方向縁部を有し、ボタンが、少なくとも一対の対向する可撓性フックを備え、可撓性フックが、スロットの長手方向の軌道とスナップ嵌合され、ハンドルのボタンを保持し、上記可撓性フックが、上記軌道上でスライド可能であり、ハンドルの下側部品が、当接部材を備え、当接部材が、可撓性フックと係合され、上記第１方向で細長くされており、上記当接部材が、可撓性フックがスロットの軌道と係合解除することを防止するように構成されている。
【０００８】
いくつかの形態において、以下の特徴のうちの１以上を使用し得る：
−ハンドルの上側部品とハンドルの下側部品とは、スナップ嵌合によって共に組み立てられている；
−ボタンは、スライド可能である；
−ボタンは、カートリッジに隣接する前側部分と後側部分とを備え、ボタンは、ボタンを移動させるとカートリッジを取り外すように構成されている；
−可撓性フックは、外側に向けられたフックの形態で設けられており、当接部材は、可撓性フック間に位置付けられ、可撓性フックを共に接近移動させることを防止する；
−スロットは、スロットの内側に突出する停止突起を備え、停止突起は、可撓性フックを共に接近移動させることを防止するように構成されている；
−ボタンは、カートリッジに隣接する前側部分と後側部分とを備え、ボタンは、スライド可能であり、ボタンを前方にスライドさせるとカートリッジを取り外すように構成されており、可撓性フックは、ボタンの後側部分に位置付けられており、当接部材は、ボタンを前方にスライドさせると可撓性フックに係合する一方、停止突起は、ボタンを前方にスライドさせていないと可撓性フックに係合する；
−ハンドルの上側部品の前側部分は、受口を備え、ハンドルの下側部品の前側部分は、フックで終端し、フックは、受口に係止するように構成されており、ハンドルの上側及び下側部品の後側部分には、圧入手段が設けられている；
−当接部材は、フックに隣接して位置付けられている；
−ハンドルは、回動するカートリッジを収容するように構成されており、ハンドルは、回動されるとカートリッジを待機位置へ復帰させるように構成されている；
−各対の保持部材は、プランジャを収容するために保持部材間に空間を形成する；
−ボタンは、プランジャのための案内を提供するように構成された軌道をさらに備える；
−ボタンには、バネが設けられており、バネは、ボタンを前方にスライドさせるとボタンのために復帰力を提供するように構成されている；
−プランジャには、バネが設けられており、バネは、ボタン及びプランジャ双方のために復帰力を提供する。
【０００９】
本発明の別の態様において、シェーバのためのハンドルの製造方法を提供し、この方法は、
−ボタンを設けるステップであって、ボタンが、少なくとも一対の対向する可撓性フックを備える、ステップと、
−ハンドル上側部品を設けるステップであって、ハンドル上側部品が、スライド方向で長手方向に延在するスロットを備え、上記スロットが、一対の対向する軌道を形成する２つの長手方向縁部を有する、ステップと、
−ハンドル下側部品を設けるステップであって、ハンドル下側部品が、当接部材を備える、ステップと、
−ボタンに設けられた可撓性フックをハンドル上側部品にあるスロットの軌道に各別にスナップ嵌合させ、それにより、ボタンが上記スライド方向でスライド可能である、ステップと、
−ハンドル下側部品をハンドル上側部品に嵌め、ハンドルを形成し、同時に、可撓性フックをハンドル下側部品の当接部材に係合させ、それにより、上記当接部材が、フックがスロットの軌道から係合解除されることを禁止するステップと、
を備える。
【００１０】
ハンドル上側部品は、スロットの内側に突出する停止突起をさらに備え得、方法は、バネを設けるステップと、ボタン及びバネを組み立てるステップと、をさらに備え、上記嵌めるステップ中に、上記フックは、上記停止突起からずらした位置でスナップ嵌合され、方法は、可撓性フックをスナップ嵌合させるステップとハンドル下側部品をスナップ嵌合させるステップとの間に、可撓性フックを停止突起に係合させるステップをさらに備え、上記バネは、上記停止突起が上記フック間にある待機位置へボタンを付勢し、スロットの軌道からフックが係合解除されることを禁止し、ハンドル下側部品をスナップ嵌合させるステップにおいて、ハンドル下側部品の上記当接部材が、スライド方向で上記停止突起と位置合わせした状態で位置付けられている。
【００１１】
これら特徴によれば、シェーバハンドルは、特に力をハンドルに掛けた（ハンドルを衝撃を受けさせた、落下させたなど）状況において、容易には分解されない。特に、ハンドルに力を掛けたときにボタンを分解させる及び／または損傷させることはほとんどない。
【００１２】
本発明の他の特徴及び利点は、非限定的な例として提供されたその実施形態のうちの１つの及び添付の図面の以下の説明から迅速に明らかになる。
【図面の簡単な説明】
【００１３】
【図１Ａ】シェーバを示す頂面図である。
【図１Ｂ】シェーバを示す側面図である。
【図２】シェーバを示す分解図である。
【図３Ａ】線Ａ−Ａに沿うハンドル（カートリッジのない）を示す断面図である。
【図３Ｂ】ハンドルの上側部品の内面を示す詳細図である。
【図３Ｃ】ハンドルの下側部品の内面を示す詳細図である。
【図３Ｄ】線Ａ−Ａに沿うハンドルの前側部分を示す断面の詳細図である。
【図３Ｅ】ハンドルの上側部品の後側部分を示す詳細図である。
【図３Ｆ】ハンドルの下側部品の後側部分を示す詳細図である。
【図４Ａ】ボタンを示す図である。
【図４Ｂ】ボタンを示す図である。
【図４Ｃ】ボタンを示す図である。
【図４Ｄ】ボタンを示す図である。
【図５Ａ】ハンドルの上側部品の前側部分を上方から見た詳細図である。
【図５Ｂ】ハンドルの上側部品の前側部分を下方から見た詳細図である。
【図６】ハンドル及びボタンを示す斜視図である。
【図７】別の実施形態にかかるハンドルの上側部品の前側部分を上方から見た詳細図である。
【図８】別の実施形態にかかるボタンを示す断面図である。
【発明を実施するための形態】
【００１４】
様々な図面において、同一の参照符号は、類似のまたは同様の要素を示す。
【００１５】
図１Ａ、図１Ｂ及び図２は、本発明の例示的な実施形態の全体図を示す。この例にかかるシェーバは、ハンドル１と、カートリッジ２と、を備える。
【００１６】
ハンドル１は、ハンドル１の前側部分６Ａ、８Ａに位置付けられたカートリッジ受容領域を備える。カートリッジ２は、従来から公知の任意のカートリッジであり得る。カートリッジ２は、１以上の刃を備え得る。刃（詳細には示さない）は、一方向で細長い鋭い刃を有し、刃は、カートリッジ２内で互いに平行に位置付けられている。刃の位置は、髭剃り方向と髭剃り方向に垂直な刃の方向とを規定する。
【００１７】
カートリッジ２は、好ましくは、ハンドル１に回動式に取り付けられている。このため、カートリッジ２及びハンドル１には、任意の公知の回動手段が設けられ得る。図面からの例において、ハンドル１には、腕体６０２の端部に位置付けられた一対の外殻支持体６０２Ａが設けられている。外殻支持体６０２Ａは、カートリッジ２に設けられた対応する機構と協働し、髭剃り力を受けるとカートリッジ２がハンドル１に関して回動式に移動し得ることを保証する。しかしながら、ピン及び対応する穴など他の回動手段を使用し得る。
【００１８】
回動させた後にカートリッジ２をその待機位置に復帰させることを保証するため、ハンドル１には、付勢手段が設けられ得る。後述する例において、ハンドル１には、付勢手段として機能するプランジャ４が設けられており、プランジャは、図２に示される。しかしながら、弾性舌体、板バネ、ラッチなど他の付勢手段を使用し得る。
【００１９】
プランジャ４は、バネ素子によって動力供給されている。バネ素子は、例えばコイルバネ５などであり得る。
【００２０】
図面に示す例において、プランジャ４は、細長い本体の形態で設けられている。細長い本体は、角柱形状であり得、例えば、細長い本体は、平行六面体形状であり、図面においてわかるように、４つの細長い壁を備える。プランジャ４は、少なくとも１つの案内突起４２をさらに備える。案内突起４２は、好ましくは、プランジャ４の細長い外壁から外方に突出する。好ましくは、少なくとも２つの案内突起４２がある。好ましくは、案内突起４２は、プランジャ４の２つの両側面に位置付けられている。案内突起４２は、ハンドル１の上側部品の前側部分６Ａに設けられた対応する機構と協働するように構成されており、突起４２は、同様に、ボタン３に設けられた対応する機構と協働するように構成され得る。これは、後述する。
【００２１】
図２に示すように、プランジャ４のうちハンドル１に向けてかつカートリッジから離間するように方向付けられた部分は、穴４３を備え得、コイルバネ５は、この穴内に挿入されている。そして、穴４３は、コイルバネ５を案内し、コイルバネを保護し、そして、コイルバネ５が誤った方向で過負荷を掛けられないまたは変形されないことを保証する。順に、これは、プランジャ４の変位を防止することを補助する。好ましくは、穴４３は、プランジャ４の長さの少なくとも半分にわたって延在する。
【００２２】
ハンドル１は、好ましくは、図１Ａ及び図１Ｂに示すように、ユーザがハンドル１を快適に把持できるように形付けられている。ハンドル１は、刃先にほぼ垂直な軸に沿って細長くされ得、このため、ハンドル１は、シェーバの長手方向軸を規定する。ハンドル１は、直線状であっても、例えば全体的にＳ字もしくはＵ字状など曲線状であってもよい。ハンドル１は、ユーザの指を挿入してこれにより把持を強化させるための複数の突部分及び／または凹部分をさらに備え得る。
【００２３】
ハンドル１は、プラスチックで形成され得る。ハンドル１は、好ましくは、少なくとも１つの把持領域６０１、８０１を備える。把持領域６０１、８０１は、ゴム、シリコーンなどのような弾性材料内で少なくとも部分的に覆われ得る。弾性材料には、突起またはパターン状面がさらに設けられ得、把持をさらに強化する。
【００２４】
ハンドル１は、例えば図２に示すように、複数片の組立体として形成されている。ハンドル１は、上側部品６及び下側部品８を備える。好ましくは、上側部品６及び下側部品８双方は、内面及び外面を有する外殻状構造を形成する。ハンドル１の上側部品６及び下側部品８は、共に組み立てられており、好ましくは、上側部品６と下側部品８との間には、内部空間が形成される。
【００２５】
組み立てを容易にするため、及び、上側部品６及び下側部品８を共に保持するために、上側部品６及び下側部品８双方には、好ましくは、保持手段が設けられている。保持手段は、スナップ嵌合、圧入、磁力、粘着、超音波溶接または任意の他の適切な保持力を利用する手段として設けられ得る。ハンドル１の上側部品６及び下側部品８は、少なくとも１点において共に保持されている。好ましくは、ハンドル１の部品を共に保持する複数の点がある。このような点を複数設けることにより、ハンドル１を補強する。
【００２６】
図面に示す例において（詳細には図３Ａから図３Ｆ参照）、保持手段は、２対のフック及び受口６１１、８０６、６１２、８０５を備えるが、他の数のこのような対を採用し得る。図３Ｂ及び図３Ｃは、一例にかかるフック６１１、６１２を示しており、これらフックは、受口８０６、８０５にスナップ嵌合されるように構成されている。ハンドル１を組み立てると、フック６１１、６１２は、受口８０６、８０５に各別に係合する。好ましくは、一対のフック６１１及び対応する受口８０６は、ハンドル１の前側部分６Ａ、８Ａに隣接して位置付けられる。他の対のフック６１２及び対応する受口８０５は、ハンドル１の反対側の端部６Ｂ、８Ｂに隣接して位置付けられ得る。このようにして、ハンドル１の上側及び下側部品６、８は、共に保持され、保持力は、ほぼ均一に分配される。
【００２７】
ハンドル１は、さらなる保持手段をさらに備え得る。さらなる保持手段は、ハンドル１の少なくとも１つの先端に位置付けられ得る。好ましくは、さらなる保持手段は、ハンドル１の両先端にまたは両先端に隣接して位置付けられている。
【００２８】
例として、ハンドル１の上側部品６の後側部分６Ｂには、上側圧入手段６１６が設けられ得る。ハンドル１の下側部品の後側部分８Ｂには、下側圧入手段８０７が設けられ得る。一例を図３Ｅ及び図３Ｆに示す。
【００２９】
上側圧入手段６１６は、壁６１７を備え得る。壁６１７は、ハンドル１の上側部品６から突出する。壁６１７は、好ましくは、杭体６１７Ａをさらに備える。杭体６１７Ａは、好ましくは、壁６１７の中間に位置付けられた横方向突起として形成されている。杭体６１７Ａは、ほぼ円形であり得る。同様に、任意の他の適切な形状を取り得る。
【００３０】
下側圧入手段８０７は、上側圧入手段６１６に適合しており、下側圧入手段は、杭体６１７Ａを収容して保持するように構成されており、それにより、杭体６１７Ａは、意図せず移動しない。下側圧入手段８０７は、例えば、複数の突起８０８、８０９を備え得る。突起８０８、８０９は、ハンドル１の下側部品８から上方に延在する。突起は、杭体６１７Ａをこれら突起間に圧入することを可能とするように構成されている。図面に示す設定において、突起８０８は、台として形成されている。突起８０９は、中心間隙８０９Ａを有する２片であり、杭体６１７Ａは、この中心間隙内に容易に嵌められ得る。そして、杭体６１７Ａは、捻れ、回転またはスライドのようなさらなる移動を防止される。これは、順に、ハンドル１の後側部分６Ｂ、８Ｂの接続を安定させることを補助する。
【００３１】
上述した圧入手段６１６、８０７を用いることにより、ハンドル１をその後端部から分解することがより困難になり、このため、ハンドル１の弾性を高める。
【００３２】
好ましくは、ハンドル１の前側部分６Ａ、８Ａにも、さらなる保持手段が設けられている。これら保持手段は、例えば、フック８０２及び対応するフック状受口６０７を取り得る。図３Ｄでわかるように、フック８０２及びフック状受口６０７は、互いに嵌るように方向付けられている。
【００３３】
ハンドル１の下側部品８の前側部分８Ａは、好ましくは、ハンドル１の下側部品８からハンドル１の上側部品６に向けて突出する。ハンドル１の下側部品８の前側部分８Ａは、フック８０２で終端する。フック８０２の上面８０３は、好ましくは、粗くされており、すなわち、上面には、摩擦増加パターンが形成されている。図面（図３Ｄ参照）に示す例において、フック８０２の上面８０３は、小さい三角形形状を呈する。しかしながら、他の摩擦増加パターンを使用し得る。フック８０２の上面８０３に設けられた摩擦増加パターンは、離型を容易にする機能を果たす。同様に、ハンドル１の分解をさらに防止し得る。
【００３４】
フック８０２のすぐ後ろには、好ましくは、当接部材８０４が位置付けられている。当接部材８０４は、（後述する）ボタン３の可撓性フック３０７を共に接近させることを防止する。このため、当接部材８０４は、ハンドル１を落下させたまたは衝撃を受けさせたときに、ボタン３の係合解除ひいてはハンドル１の分解を防止することを補助する。
【００３５】
当接部材８０４の長さは、スロット６０９の長さと同様であり得、このスロットは、ハンドル１の上側部品６に設けられている（後述する）。当接部材８０４は、スロット６０９の全長に沿って延在し得る。当接部材８０４は、同様に、例えばスロット６０９の約半分の長さに沿ってまたはスロット６０９の３／４の長さに沿ってなど、スロット６０９の一部の長さに沿って延在し得る。このような場合において、（後述する）停止突起６０８は、ボタン３が係合解除することをさらに防止するために、突起６０８に設けられている。
【００３６】
一実施形態において、当接部材８０４は、プランジャ４に設けられた案内突起４２を収容して案内するようにさらに構成され得る。当接部材８０４は、プランジャ４を案内することを補助するために使用され得る。当接部材８０４は、特に、プランジャ４を変位させてプランジャ４、ボタン３及びハンドル１を分解する危険性がある状況において使用されるように構成され得る。このような状況において、当接部材８０４は、プランジャ４のための必要な支持を提供し、プランジャをさらに変位させることを防止し、ひいては、ハンドル１を損傷させることを防止することを補助する。好ましくは、フック８０２の上面８０３は、この機能をさらに強化する。
【００３７】
ハンドル１には、選択的に、インサート７が設けられ得る。インサート７は、好ましくは、ハンドル１の上側部品６と下側部品８との間に入れられており、好ましくは、インサート７は、ハンドル１の前側部分６Ａ、８Ａと後側部分６Ｂ、８Ｂとの間において、ハンドル１のほぼ中間に位置付けられている。
【００３８】
インサート７は、好ましくは、中実体として形成されている。
【００３９】
インサート７は、図２に示すように、筒体として形付けられ得る。インサートは、角柱などのような任意の他の適切な形状も取り得る。本体は、例えば金属で形成され得る。本体は、プラスチック、木または任意の他の適切な材料でも形成され得る。インサート７を設ける場合、インサートは、ハンドル１に追加の重量を提供するように機能し得、このため、髭剃り中の制御を強化し、ユーザの体験を改善させる。インサートは、同様に、ハンドル１を補強するように、及び、ハンドル１の過剰な変形を防止するように、機能し得る。これは、順に、ハンドル１の分解を回避する機能を果たす。
【００４０】
図２に示すように、インサート７は、ハンドル１の上側部品６に設けられたインサート支持体６１４、６１５間に位置付けられ得る。支持体６１４、６１５は、ハンドル１の上側部品６の内面から下方に突出する。好ましくは、支持体６１４、６１５それぞれは、インサート７の少なくとも１つのベース側に接触する。このようにして、支持体６１４、６１５は、ハンドル１内におけるインサート７の意図しない前後移動を防止することを補助する。支持体は、同様に、ハンドル１をさらに補強するように機能し得、そのため、ハンドルの弾性を改善させる。インサート７は、ハンドル１の下側部品８の内面に設けられたインサート支持体８１１によってさらに支持されており、一例にかかるインサート支持体を図３Ｃに示す。ハンドル１を組み立てると、インサート７は、インサート支持体８１１上に載置するように位置付けられる。支持体８１１は、インサート７のための座面を提供するように、及び、インサートのスライド移動を防止するように、形付けられている。図３Ｃに示す例は、小型の十字状及び／または星状のクロスバーの形態で示されたインサート支持体８１１を示し、インサート支持体は、ハンドル１の下側部品８の内面から上方に突出する。これら支持体８１１は、同様に、ハンドルをさらに補強するように機能し得る。
【００４１】
図３Ｂに示すように、ハンドル１の上側部品６には、類似のインサート支持体６１３が設けられ得る。
【００４２】
ハンドル１の上側部品６の前側部分６Ａは、ロック及び解放機構を備え、この機構は、カートリッジ２を所定位置に保持するように、及び、カートリッジ２を交換する必要がある場合にカートリッジ２を解放するように、構成されている。ハンドル１の上側部品６の前側部分６Ａは（一例を図５Ａ、図５Ｂに示す）、ボタン３と協働するようにさらに構成されている。ボタン３は、カートリッジ２を交換する必要がある場合に、カートリッジ２を取り外すことを容易にするように構成されている。カートリッジ２を取り外すことを以下で詳述する。
【００４３】
ハンドル１の上側部品６の前側部分６Ａは、可撓性ヨークとして形成されており、ヨークの詳細は、図５Ａ（頂面図）及び図５Ｂ（底面図）でわかり得る。ヨークは、２つの腕体６０２を備える。ヨークの腕体６０２それぞれは、外殻支持体６０２Ａで終端する。外殻支持体６０２Ａは、カートリッジ２に設けられた対応する機構と協働し、カートリッジ２を回動させ得ることを保証する。カートリッジ２を解放すると、腕体６０２は、共に接近するように曲げられる。このため、カートリッジ２は、外殻支持体６０２Ａから係合解除され、取り外され得る／交換され得る。
【００４４】
図５Ａは、腕体６０２それぞれが受口６０３を備えることを示す。受口６０３は、各別の腕体６０２それぞれの上面に設けられている。受口６０３は、非線形であり得る。例えば、受口６０３は、ほぼ豆状形状であり得る。受口６０３は、ボタン３に設けられたピン３０６を受けるように構成されている。受口６０３及びピン３０６は、腕体６０２を共に接近させるように、そして、カートリッジ２を解放するように、協働する（後述する）。
【００４５】
腕体６０２は、可撓性部分６０４Ａを介してハンドル１に接続されている。可撓性部分６０４Ａは、腕体６０２を共に接近させることを可能とする。図５Ａに示す例において、可撓性部分６０４Ａの可撓性を増加させることは、腕体６０２のうちハンドル１の把持領域６０１に隣接する部分それぞれを狭くすることによって、実現される。
【００４６】
腕体６０２間には、台６０５が位置付けられている。台６０５は、複数の目的を機能する。台は、プランジャ４のための支持体を提供する。さらに、台は、ボタン３をその位置でロックし、ボタン３が係合解除されることを防止することを補助する。ボタン３との協働を後述する。
【００４７】
台６０５（例を図３Ｄ、図５Ａ及び図５Ｂに示す）は、好ましくは、全体として角柱形状を取る。好ましくは、台６０５のうち腕体６０２に隣接する壁（台６０５の側壁）は、シェーバの長手方向軸と平行である。
【００４８】
台６０５は、上壁を備え、上壁は、ボタン３に向けて方向付けられている。台６０５の上壁は、軌道６０６を備える。軌道６０６は、プランジャ４に設けられた案内突起４２のうちの一方を受けるように構成されている。そして、軌道６０６は、プランジャ４を線形往復移動させるように案内することを補助し、プランジャ４を変位させるまたは誤った方向に誤って案内する危険性を低減する。したがって、プランジャ４を損傷させる危険性を低下させ、カートリッジ２のその待機位置に復帰させる機能を強化する。
【００４９】
腕体６０２及び台６０５は、非線形スロット６０４によって互いに離間されている。非線形スロット６０４は、台６０５と腕体６０２それぞれとの間に各別に設けられている。非線形スロット６０４それぞれは、線形部分６１０を画成する部分を備える。線形部分６１０は、ボタン３と、すなわちボタン３の前側部分に設けられた位置表示器３０５と協働するように構成されている。これら機能の協働を後述する。
【００５０】
ハンドル１の上側部品６の把持領域６０１と台６０５との間には、スロット６０９が形成されている。スロット６０９は、ほぼ矩形状である。スロット６０９は、好ましくは、ハンドル１の上側部品６を通って延在しており、このため、ハンドル１の上側部品６を通る開口部を形成する。これを図５Ａ及び図５Ｂに示す。
【００５１】
スロット６０９は、一方向で細長くされ得、好ましくは、この方向は、シェーバの長手方向軸と平行である。好ましくは、スロット６０９のうちシェーバの長手方向軸と平行な壁（スロット６０９の側壁）は、互いに、そして台６０５の側壁にも、平行である。スロット６０９の側壁は、台６０５の側壁とほぼ一直線に設けられ得る。好ましくは、側壁は、一対の対向する軌道を形成する２つの長手方向縁部を形成する。好ましくは、軌道は、ボタン３の可撓性フック３０７を受けるように構成されている（後述する）。
【００５２】
スロット６０９のうち把持領域６０１に隣接する壁は、停止突起６０８を備え得る。停止突起６０８は、スロット６０９内に突出する。好ましくは、停止突起６０８の上壁は、台６０５の上壁と揃えられている。このように、停止突起６０８は、プランジャ４の可能性のある移動と干渉しない。停止突起６０８は、ボタン３の（後述する）可撓性フック３０７を共に接近させること、または、別の実施形態においてさらに離間すること、を防止する。このため、停止突起６０８は、ハンドル１を落下させたまたは衝撃にさらしたときに、ボタン３が係合解除されること及びハンドル１を分解することを防止することを補助する。
【００５３】
台６０５に隣接する端部において、スロット６０９の壁には、フック状受口６０７が設けられている。フック状受口６０７の詳細な断面は、図３Ｄにおいてわかる。フック状受口６０７は、ハンドル１の下側部品８の前側部分８Ａに設けられた（上述した）フック８０２を受けるように構成されている。
【００５４】
ハンドル１の上側部品６の前側部分６Ａは、解放ボタン３を受けるように構成されている。一例にかかるこのようなボタン３を図４Ａから図４Ｄに示す。ボタン３は、好ましくは、突出部分３０３を有する本体として形成されている。突出部分３０３は、ハンドル１から離間するように上方に突出する。突出部分は、ユーザがその指を突出部分３０３と係合させるように構成されている。このために、突出部分３０３には、指載置部分３０４が設けられ得る。指載置部分３０４は、好ましくは、ボタン３を容易に押してボタンを前方へカートリッジ２に向けて移動させることができるように位置付けられている。指載置部分３０４は、図４Ａから図４Ｄにおいてわかるように、ほぼ凹状であり得る。指載置部分３０４には、リブ、杭体または把持を強化するための他の突起が設けられ得る。好ましくは、指載置部分３０４は、ゴム、シリコーンなどのような適切な弾性材料で覆われている。
【００５５】
ボタン３は、押圧面３０１を備える。押圧面３０１は、カートリッジ２に向けて方向付けられている。カートリッジ２を取り外すとき、ボタン３を押圧し、そしてカートリッジ２に向けて前方に移動させる。このような状況において、押圧面３０１は、カートリッジ２に係合し、カートリッジ２をハンドル１から離間させるように押す。このため、カートリッジ２は、ユーザがカートリッジ２に触れることなく取り外され得る。
【００５６】
ボタン３の下側部分は、図４Ａから図４Ｄにおいてわかる。ボタンは、一対の固定具３０５を備える。固定具３０５は、ハンドル１の上側部品６の前側部分６Ａの方向で、ボタン３から下方に突出している。固定具３０５は、好ましくは、ボタン３の押圧面３０１に隣接して位置付けられている。固定具３０５は、シェーバの長手方向軸に関して対称に位置づけられている。好ましくは、固定具３０５は、台６０５を固定具間に位置付けることができるようにずらされている。これにより、固定具３０５を誤って共に接近させ、そのために損傷されるまたはハンドル１から係合解除されることを防止する。
【００５７】
固定具３０５、台６０５及びボタン３の押圧面３０１は、共に、開口部を形成し、プランジャ４は、この開口部を通って突出する。プランジャ４は、開口部内で往復移動するように構成されている。プランジャ４は、カムフォロワ面４１を備えており、このカムフォロワ面は、カートリッジに係合し、回動させたときにカートリッジ２をその待機位置に復帰させることを保証する。
【００５８】
固定具３０５それぞれは、外側に方向付けられたフックに設けられている。ボタン３が待機位置にあると、固定具３０５は、非線形スロット６０４の線形部分６１０に係合する。固定具３０５の端部分は、この目的で腕体６０２の底部分に設けられた陥没部６１０Ａに係合する。したがって、固定具３０５は、それら位置から意図せず移動すること及び／または係合解除されることをさらに防止する。
【００５９】
ボタン３の下側部分は、一対のピン３０６を備える。ピン３０６は、好ましくは、ヨークの腕体６０２に設けられた受口６０３に係合するように位置付けられている。受口６０３は、溝の形態をなし得、これら溝は、非矩形状であり得、前方外側に傾斜して方向付けられ得る。例示的な受口６０３を図５Ａに示す。
【００６０】
ピン３０６は、カートリッジ２を係合解除しようとしたときに腕体６０２を共に接近移動させるための手段を提供する。ボタン３をユーザによって押圧すると、ボタン３は、カートリッジ２に向けて前方にスライドする。ピン３０６は、受口６０３内で前方へ移動し、このため、腕体６０２を曲げさせて共に接近移動させる。同時に、カートリッジ２は、ボタン３の押圧面３０１によって衝突させられる。このため、外殻支持体６０２Ａは、カートリッジ２にある対応する機構から係合解除する。同時に、カートリッジ２は、プランジャ４の押圧面４１によって外殻支持体６０２Ａから離間するように付勢される。したがって、カートリッジ２は、ハンドル１から取り外され、新たなカートリッジ２と交換され得る。
【００６１】
ボタン３の下側部分は、好ましくは、軌道３０９をさらに備える（例えば図４Ｂ及び図４Ｄ参照）。軌道３０９は、ボタン３の長手方向に延在しており、軌道３０９は、シェーバの長手方向軸と平行である。好ましくは、軌道３０９は、ボタン３の大部分の長さに沿って延在する。軌道３０９は、好ましくは、プランジャ４の案内突起４２を受けるように構成されている。このようにして、台６０５に設けられた軌道６０６は、ボタン３に設けられた軌道３０９と協働し、プランジャ４に案内を提供する。したがって、プランジャが正確に機能することを確実にする。さらに、軌道３０９は、ボタン３を補強するように機能し得る。
【００６２】
ボタン３の下側部分は、可撓性フック３０７をさらに備える。好ましくは、偶数の可撓性フック３０７があり、例えば図４Ａから図４Ｄから、一対の可撓性フック３０７がある。可撓性フック３０７は、好ましくは、ボタン３の背部分に隣接して設けられている。可撓性フック３０７は、ボタン３から下方に突出しており、ハンドル１の上側部品６の台６０５と把持領域６０１との間に設けられたスロット６０９を通って延在する。可撓性フック３０７は、全体としてフック形状を呈しており、曲げ部分は、可撓性フック３０７の下側部分に位置付けられている。好ましくは、可撓性フック３０７の下側部分を形成するフックは、外側に方向付けられている（すなわち、外側に曲げられている）。このため、可撓性フック３０７は、好ましくは、対向している。好ましい実施形態において、可撓性フック３０７は、スロット６０９の側壁に係合する。可撓性フック３０７は、好ましくは、フックに関して十分に長く、スロット６０９の側壁の下方に延在する。このようにして、可撓性フック３０７は、一対の対向する軌道を形成する２つの長手方向縁部を形成する際に、２つの長手方向縁部に係合する。そして、フックは、スロット６０９の側壁の端部によって保持される。好ましくは、可撓性フック３０７は、軌道とスナップ嵌合される。これら機構は、ボタン３が容易に係合解除されることを防止する。
【００６３】
好ましくは、可撓性フック３０７間には、自由空間がある。プランジャ４は、可撓性フック３０７間にある自由空間を通過して自由空間内で往復移動できるように位置付けられている。
【００６４】
可撓性フック３０７は、ハンドル１の前側部分６Ａのスロット６０９を通るように構成されている。可撓性フック３０７のフックは、好ましくは、スロット６０９の細長い壁に係合し、このため、ボタン３を所定位置で保持する。
【００６５】
可撓性フック３０７及びスロット６０９の寸法は、好ましくは、ボタン３をカートリッジ２に向けてスライドさせたときに、可撓性フック３０７がスロット６０９内を移動することを可能とするように、設定されている。しかしながら、可撓性フック３０７は、好ましくは、可撓性フックがスロット６０９のうちスロット６０９の側壁に垂直な壁によって停止されるように、無制限な移動を可能とはしない。
【００６６】
スロット６０９には、（上述した）停止突起６０８が設けられている。停止突起６０８は、可撓性フック３０７間を延在するように構成されている。停止突起６０８は、プランジャの通常位置の下方に位置付けられている。停止突起６０８は、可撓性フック３０７を共に接近させることを防止し、このため、可撓性フック３０７の下側部分を形成するフックは、スロット６０９の側壁から容易には係合解除できず、ボタン３を変位させるまたは係合解除させる危険性を低下させる。
【００６７】
詳細を図７及び図８に示す別の実施形態において、可撓性フック３０７は、内側に方向付けられている。ハンドル１の上側部品６には、一対の平行なスロット６０９Ａ、６０９Ｂが設けられ得、スロット間に本体を形成する。そして、可撓性フック３０７は、スロット間にある本体に係合する。可撓性フック３０７を係合解除させることを防止するために、一対の停止突起６０８Ａ、６０８Ｂが設けられ得、停止突起６０８Ａ、６０８Ｂは、可撓性フック３０７の外側に位置付けられている。このような状況において、停止突起６０８Ａ、６０８Ｂは、当接部材８０４に近接して、ハンドル１の上側部品６にまたはハンドルの下側部品８に位置付けられ得る。
【００６８】
ボタン３には、コイルバネ支持体３０８（一例にかかるこのような支持体を図４Ｂ及び図４Ｃに示す）がさらに設けられている。コイルバネ支持体３０８は、ボタン３の長手方向軸においてボタン３の押圧面３０１とは反対側に位置付けられている。コイルバネ支持体３０８は、コイルバネ５の一端部を支持するように構成されている。このために、コイルバネ支持体には、ピン状突起３０８Ａが設けられており、コイルバネ５は、このピン状突起に嵌められている。このピン状突起３０８Ａは、コイルバネ５をコイルバネ支持体３０８から係合解除され、ひいては変位される及び／または損傷されることを防止する。
【００６９】
コイルバネ５の一端部は、プランジャの後側部分に設けられた穴４３内に挿入されている。コイルバネ５の他端部は、コイルバネ支持体３０８によって支持されている。力をカートリッジ２にかけると、すなわちカートリッジ２を回動させると、プランジャ４を内側に押圧し、コイルバネ５を圧縮させる。力を取り除くと、コイルバネ５は、その初期位置に復帰し、このため、プランジャ４を付勢してカートリッジ２を押圧し、カートリッジをその待機位置に復帰させる。
【００７０】
さらに、カートリッジ２を取り外そうとすると、すなわちボタン３を押圧して前方に移動させると、コイル支持体３０８は、コイルバネ５をプランジャ４と共に移動させる。プランジャ４は、プランジャが台６０５の案内軌道６０６の端部に衝突すると、前方への移動を停止し、コイルバネ５は、ボタン３のさらなる前方移動によってさらに圧縮される。その後、カートリッジ２を係合解除してボタン３を解放すると、コイルバネ５は、コイルバネ５によってコイルバネ支持体３０８にかけた力を介して、ボタンをそのもとの位置に復帰することを補助する。
【００７１】
当接部材８０４及び停止突起６０８は、好ましくは、ボタン３を容易に取り付けること、並びに、ハンドル１のすべての部品、すなわちボタン３、プランジャ４、コイルバネ５及びハンドル１の上側及び下側部品６、８の容易な組み立てを可能とすること、の可能性を提供するように、位置付けられている。
【００７２】
このために、当接部材８０４は、スロット６０９の全長に沿って延在しないような長さとされ得る。好ましくは、当接部材８０４は、スロット６０９の約半分の長さに沿って延在する。停止突起６０８は、好ましくは、同様に、スロット６０９の全長に沿っては延在しない。好ましくは、停止突起６０８は、最大でも当接部材８０４と同じ長さである。
【００７３】
さらに、ボタン３の可撓性フック３０７は、停止突起６０８が処理に干渉することなくボタン３をハンドル１の上側部品６にスロット６０９を介してスナップ嵌合させることを可能とするような幅で、設けられている。
【００７４】
さらに、可撓性フック３０７の幅は、好ましくは、ハンドル１の下側部品８をハンドル１の上側部品６、プランジャ４及びボタン３の組立体と組み合わせたときに、当接部材８０４が可撓性フック３０７と干渉しないようになっている。
【００７５】
その上、可撓性フック３０７の幅、停止突起６０８及び当接部材８０４の長さは、ボタン３を前方にスライドさせたときに、可撓性フック及び当接部材が停止突起６０８と接触しなくなる前に可撓性フック３０７が当接部材８０４に係合するように、設定され得る。このように、可撓性フック３０７は、常に、係合解除防止機構と接触する。別の実施形態において、当接部材８０４は、スロット６０９のほぼ全長を覆うような長さとなっている。この実施形態において、停止突起６０８は、なくなっており、当接部材全体は、ハンドル１の下側部品６に位置付けられる。
【００７６】
ボタン３、プランジャ４並びにハンドル１の上側及び下側部品６、８を共に組み立てる場合には、以下のステップを実行し得る。
【００７７】
プランジャ４、コイルバネ５及びボタン３を組み立てる。このために、ボタン３には、コイルバネ支持体３０８が設けられており、プランジャ４には、穴４３が設けられている。コイルバネは、プランジャ４の穴４３内に挿入され、コイルバネ支持体３０８に係合される。別の実施形態において、プランジャ４を省略し得、コイルバネ５をボタン３に直接組み立てる。
【００７８】
その後、ボタン３、プランジャ４及びコイルバネ５の組立体をハンドル１の上側部品６にスナップ嵌合させる。この処理中において、ボタン３の可撓性フック３０７は、スロット６０９を通され、スロット６０９の側壁によって形成された軌道にスナップ嵌合される。可撓性フック３０７は、好ましくは、停止突起６０８と接触することを回避するようにスロット６０９を通る。このため、プランジャ４及びコイルバネ５を有するボタン３は、スロット６０９の前側部分、すなわち外殻支持体６０２Ａに隣接する部分内に導入される。
【００７９】
その後、コイルバネ５は、ボタン３を後方に押す。したがって、ボタン３の可撓性フック３０７は、スロット６０９に設けられた停止突起６０８に係合する。
【００８０】
その後、ハンドル１の下側部品を組立体に嵌める。フック８０２をフック状受口６０７内に導入する。当接部材８０４を可撓性フック３０７間に導入する。スナップ嵌合手段６１１、８０６、６１２、８０５及び圧入手段６１６、８０７を係合して共に嵌め込み、ハンドル１を組み立てる。
【００８１】
シェーバの上述した機構のうちのいくつかの機構は、ボタン３が係合解除されることを防止すること、及び／または、ハンドル１の上側部品６及び下側部品８が分解されることを防止すること、を補助するように機能する。
【００８２】
ハンドル１の上側部品６には、好ましくは、フック６１１、６１２が設けられている。ハンドル１の下側部品８には、好ましくは、受口８０６、８０５が設けられている。これら機構は、好ましくは、適合可能であり、フック６１１、６１２は、受口８０６、８０５と各別にスナップ嵌合されるように構成されている。したがって、ハンドル１の上側部品６及び下側部品８を共に保持する。
【００８３】
ハンドル１の上側部品６の後側部分６Ｂには、上側圧入手段６１６が設けられ得る。ハンドル１の下側部品の後側部分８Ｂには、下側圧入手段８０７が設けられ得る。これら機構は、ハンドル１の上側部品６及び下側部品８の組立体の信頼性を高める。特に、これら機構を用いると、ハンドル１をその後側部分６Ｂ、８Ｂから取り外すまたは分解することが困難になる。落下させたときにハンドル１が前側または後側部分で地面にぶつかる危険性が増加しているので、これら機構は、ハンドル１を分解することを防止することを補助する。
【００８４】
前側部分６Ａ、８Ａには、カートリッジ受容領域が、及び、必要に応じてカートリッジ２をロックして解放するために設けられた機構が、設けられている。これら機構は、外殻支持体６０２Ａ、プランジャ４及びボタン３を有するヨークを備える。ボタン３は、ハンドル１の上側部品６の前側部分６Ａに取り付けられている。ボタン３は、軌道３０９のようなプランジャ４を受け入れるための機構を備える。ボタン３は、位置表示器３０５及び可撓性フック３０７をさらに備えており、これら可撓性フックは、プランジャがボタン３の直下で往復移動することを可能とするように位置付けられている。
【００８５】
ハンドル１の上側部品６の前側部分６Ａには、台６０５、非線形スロット６０４の線形部分６１０、腕体６０２の底部分に設けられた陥没部６１０Ａ、スロット６０９及び停止突起６０８が設けられている。これら機構全ては、ボタン３に設けられた対応する機構と協働し、ボタン３をその座面から変位されるかつ／または分解されることを防止することを補助する。
【００８６】
位置表示器３０５は、非線形スロット６０４の線形部分６１０と協働するように構成されており、この線形部分は、位置表示器３０５を共に接近させ、このため、腕体６０２の底部分に設けられた陥没部６１０Ａから係合解除されることを防止することを補助する。
【００８７】
可撓性フック３０７は、スロット６０９と協働するように構成されており、このスロットは、可撓性フック３０７を、ひいてはボタン３を所定位置でロックする。可撓性フック３０７は、停止突起６０８と協働するようにさらに構成されており、この停止突起は、可撓性フック３０７を共に接近させ、このため、スロット６０９の側壁から係合解除されることを防止する。ハンドル１の下側部品８の前側部分８Ａには、当接部材８０４がさらに設けられており、この当接部材は、同様に、可撓性フック３０７を共に接近させること及び／またはスロット６０９の側壁から係合解除させることを防止することを補助する。同時に、これら機構は、ボタン３の前後移動を妨害せず、このため、カートリッジ２を取り外すその機能を保証する。
【００８８】
ハンドル１の上側部品６の前側部分６Ａには、フック状受口６０７がさらに設けられている。ハンドル１の下側部品８の前側部分８Ａには、対応するフック８０２が設けられており、このフックは、フック状受口６０に係合し得、ハンドル１の上側及び下側部品６、８の前側部分６Ａ、８Ａを共にロックする。これは、ハンドル１を共に保持する場合に有利な点を提供する。落下させたときにハンドル１が前側または後側部分で地面にぶつかる危険性が増加しているので、これら機構は、ハンドル１を分解することを防止することを補助する。
【００８９】
ハンドル１の下側部品８の前側部分８Ａには、フック８０２の粗面化された上面８０３と当接部材８０４とがさらに設けられている。これら機構双方は、プランジャ４の変位を防止することを補助し、このため、ロック及び解放機構全体を損傷することを防止することを補助する。
【００９０】
上述した機構を用いると、ハンドル１は、容易には分解されない。ハンドル１は、補強され、ハンドルを衝撃にさらしても（例えばハンドル１を落下させても）、バラバラにならない。同様に。ボタン３を分解すること、そしてプランジャ４を変位させることが容易ではない。その後、プランジャ４及びボタン３双方は、このような状況においてより損傷されにくい。
【００９１】
上述した構成を用いると、製造コストを低いまま維持する。ハンドルを形成するのに使用される必要な材料量を低下させ、ハンドル１を交換する場合には、廃棄されるプラスチック量を同様に低下させる。さらに、ハンドル１の十分な質量に起因して、上記構成は、髭剃り中にシェーバのより良好な制御、そしてより良好なユーザの体験を提供する。
【符号の説明】
【００９２】
１  ハンドル、２  髭剃カートリッジ，回動カートリッジ，カートリッジ、３  解放ボタン，ボタン、４  プランジャ、５  コイルバネ，バネ、６  ハンドル上側部品，上側部品、６Ａ，８Ａ  前側部分、８  ハンドル下側部品，下側部品、３０５  保持部材，固定具、３０７  可撓性フック，保持部材、６０７  フック状受口，受口、６０８  停止突起，突起、６０９  スロット、８０２  フック、８０４  当接部材
【図１Ａ】
0006300955.tif 000002
【図１Ｂ】
0006300955.tif 000003
【図２】
0006300955.tif 000004
【図３Ａ】
0006300955.tif 000005
【図３Ｂ】
0006300955.tif 000006
【図３Ｃ】
0006300955.tif 000007
【図３Ｄ】
0006300955.tif 000008
【図３Ｅ】
0006300955.tif 000009
【図３Ｆ】
0006300955.tif 000010
【図４Ａ】
0006300955.tif 000011
【図４Ｂ】
0006300955.tif 000012
【図４Ｃ】
0006300955.tif 000013
【図４Ｄ】
0006300955.tif 000014
【図５Ａ】
0006300955.tif 000015
【図５Ｂ】
0006300955.tif 000016
【図６】
0006300955.tif 000017
【図７】
0006300955.tif 000018
【図８】
0006300955.tif 000019